(57)【要約】      （修正有）【課題】センサ部の向きが変わってしまっても、医療従事者などに適切に通知できるようにする。【解決手段】フレキシブルアームに設けたセンサ部３の向きが変わったことを方向センサ４が検出した場合に、センサ部３の向きが変わったこと、センサ部３に所定の行動を検出させるように促すことを第一の報知部６によって報知し、所定の時間が経過しても親機インターフェース２２が呼出信号を入力しなかった場合には、ナースコール親機２０の第二の報知部２４にて報知を行うようにしている。これにより、センサ部３の向きを元に戻してセンサ部３が検出したり、そのままの状態でもセンサ部３が検出したりすることができれば、ナースコール親機２０では報知が行われないので、医療従事者を煩わせることが無くなる。一方、ナースコール親機２０にて報知が行われると、報知を把握した医療従事者は、現場に駆けつけてセンサ部３の向きを元に戻すことができる。【選択図】図１
2011005172.tif 000002
【特許請求の範囲】
【請求項１】
所定の行動を検出するセンサ部と、前記センサ部に接続され、前記センサ部が患者の所定の部位に近接して配置されるように調整されるフレキシブルアームと、前記センサ部の向きが変わったことを検出する方向センサと、前記センサ部の向きが変わったこと、および、前記センサ部に前記所定の行動を検出させるように働きかけることを周囲に報知する第一の報知部と、前記方向センサが前記センサ部の向きが変わったことを検出した場合に、前記第一の報知部を動作させるとともに、前記センサ部が前記所定の行動を検出した場合に呼出信号を生成する制御部とを備えたナースコール子機と、
時間を計測する計時部と、少なくとも前記患者からの呼び出しを受ける医療従事者が確認可能な場所に設置され、前記センサ部の向きが変わったこと、および、前記患者からの呼び出しを報知する第二の報知部と、前記第一の報知部が動作してから前記計時部を動作させ、所定の時間が経過しても前記センサ部が前記所定の行動を検出しなかった場合には、前記第二の報知部を動作させるとともに、前記呼出信号を入力した場合には、前記第二の報知部を動作させる親機制御部とを備えたナースコール親機とを有することを特徴とするナースコールシステム。
【発明の詳細な説明】
【技術分野】
【０００１】
本発明は、患者から看護師などの医療従事者を呼び出して、看護を要請するためのナースコールシステムに関する。
【背景技術】
【０００２】
一般的に、ナースコールシステムは、呼出ボタンを有するナースコール子機を各病室内の各病床の近傍に設置するとともに、看護師などの医療従事者が常駐するナースセンタにナースコール親機を設置している。そして、患者がナースコール子機の呼出ボタンを操作した場合に、ナースコール子機からナースコール親機へ呼出信号を出力し、呼出信号を入力したナースコール親機にて呼び出しの発生を報知するように構成されている。ここで、ナースコールシステムは、病院だけではなく、介護施設などでも使用される。
【０００３】
ナースコール親機には、ＬＥＤ（light-emitting  diode）などのランプと患者の名前などを表示する表示欄とを備えた選局部を患者の数に応じて組み合わせたボード形のものが知られている。ボード形のナースコール親機は、ナースセンタの壁面などに取り付けられ、ナースセンタ内の医療従事者がボード形親機に表示された情報を閲覧することが可能である。ここで、ナースコール子機から出力された呼出信号を入力したナースコール親機では、呼出信号に含まれ、ナースコール子機を識別するための子機識別情報により呼び出しを行った患者（実際にはナースコール子機）を特定する。そして、特定されたナースコール子機を使用している患者の表示欄に対応する選局部のランプを点灯または点滅させることで呼び出しの発生の報知を行っている。また、呼び出しの発生の報知は、選局部のランプの点灯／点滅だけではなく、スピーカから出力される音声によっても行われる。
【０００４】
ここで、ナースコール親機としては、上述したボード形のものだけではなく、卓上に設置される卓上形のものや、報知や各種情報をディスプレイ上に表示するＰＣ（personal  computer）形のものも知られている。
【０００５】
このように、ナースコール親機にて呼び出しの発生が報知されると、これに気付いた医療従事者が応答する必要がある。そのため、ナースコール親機には、呼び出しの発生の報知に応答するためのハンドセットが設けられている。呼び出しの発生が報知されている場合に、医療従事者がハンドセットをオフフックすると、呼び出しの発生の報知が停止し、ナースコール親機とナースコール子機（またはナースコール子機が設置された病室）との間で通話路が形成される。ここで、ナースコール子機（または病室）には、通話用のスピーカやマイクが設けられているため、患者と医療従事者との間で通話が可能となる。
【０００６】
ところで、ナースコール子機は、様々な患者によって使用される。例えば、意識はあってもナースコール子機の呼出ボタンを操作できる程度に手足を動かすことができない患者も居る。このような患者でも看護師を呼び出すことができるように、接触センサを備えたナースコール子機や呼気の圧力を検出する圧力センサを備えたナースコール子機が知られている（例えば、特許文献１など）。これらのナースコール子機は、フレキシブルアームなどで本体とセンサ部とを接続しており、医療従事者などがフレキシブルアームを動かしてセンサ部を患者が利用可能な位置にセッティングしている。ここで、接触センサは、患者の顔の近傍や患者の手の近傍などにセッティングされ、圧力センサは、患者の口元などにセッティングされる。
【先行技術文献】
【特許文献】
【０００７】
【特許文献１】特開２００５−１５２０４７号公報
【発明の概要】
【発明が解決しようとする課題】
【０００８】
しかしながら、特許文献１に記載の技術では、セッティングされているセンサ部に医療従事者や見舞い客などが不用意に触れてしまい、センサ部の向きが変わって、センサ部が患者の利用可能な位置からずれてしまうことがあった。このように、センサ部の位置がずれたまま医療従事者や見舞い客などが立ち去ってしまうと、患者が医療従事者を呼び出せなくなってしまうという問題があった。
【０００９】
本発明は、このような問題を解決するために成されたものであり、センサ部に何らかの外力が働いて向きが変わってしまっても、それを医療従事者などに適切に通知できるようにすることを目的とする。
【課題を解決するための手段】
【００１０】
上述した課題を解決するために、本発明では、所定の行動を検出することで呼び出しを行うセンサ部をフレキシブルアームに接続し、フレキシブルアームを調整することで患者の所定の部位にセンサ部を近接して配置している。そして、センサ部の向きが変わったことを検出した場合に、センサ部の向きが変わったこと、および、センサ部に所定の行動を検出させるように働きかけることを周囲に報知し、その報知から所定の時間が経過してもセンサ部が所定の行動を検出しなかった場合には、呼び出しを受けるナースコール親機にて報知を行うようにしている。
【発明の効果】
【００１１】
上記のように構成した本発明によれば、センサ部の向きが変わると、センサ部の向きが変わったこと、および、センサ部に所定の行動を検出させるように働きかけることがナースコール子機の周囲に報知されるので、ナースコール子機の周囲に医療従事者などが居れば、その医療従事者などにセンサ部の向きを元に戻さなければいけないことを通知することができる。そして、通知された医療従事者がセンサ部の向きを元に戻して、センサ部に所定の行動を検出させることができれば、ナースコール親機で報知が行われないので、他の医療従事者を煩わせることが無くなる。
【００１２】
また、センサ部の向きが変わったこと、および、センサ部に所定の行動を検出させるように働きかけることがナースコール子機の周囲に報知されても、依然としてセンサ部が患者の所定の部位に近接していれば、患者は所定の動作をセンサ部に検出させることができる。そのため、患者が所定の動作をセンサ部に検出させることができれば、ナースコール親機で報知が行われないので、医療従事者を煩わせることが無くなる。
【００１３】
また、センサ部の向きが変わったこと、および、センサ部に所定の行動を検出させるように働きかけることが報知されてから所定の時間が経過しても、センサ部が所定の行動を検出しなかった場合には、ナースコール親機にて報知が行われる。これにより、報知を把握した医療従事者は、現場に駆けつけてセンサ部の向きを元に戻すことができる。従って、センサ部の向きが変わっても、センサ部が患者の利用可能な位置からずれてしまった場合にのみナースコール親機での報知が行われるので、医療従事者などに適切に通知することができるようになる。
【図面の簡単な説明】
【００１４】
【図１】本実施形態によるナースコールシステムの構成例を示すブロック図である。
【図２】本実施形態によるナースコールシステムの概略構成図である。
【図３】本実施形態によるナースコールシステムの動作を示すフローチャートである。
【発明を実施するための形態】
【００１５】
以下、本発明の一実施形態を図面に基づいて説明する。図１は、本実施形態によるナースコールシステムの構成例を示すブロック図である。また、図２は、本実施形態によるナースコールシステムの概略構成図である。図１および図２に示すナースコールシステムは、患者の病床近傍に設置され、病室内に居る患者によって使用されるナースコール子機１と、医療従事者が常駐するナースセンタなどに設置され、医療従事者によって使用されるナースコール親機２０とを備えて構成されている。ここで、ナースコール子機１は、意識はあってもナースコール子機１に通常設けられる呼出ボタン（図示せず）を操作できる程度に手足を動かすことができない患者対して用いられる。
【００１６】
ナースコール子機１は、制御部２、センサ部３、方向センサ４、子機インターフェース５、第一の報知部６、フレキシブルアーム７、筐体８、コード９、ウォールユニット１０、スピーカ１１、マイク１２を備えて構成されている。また、ナースコール親機２０は、親機制御部２１、親機インターフェース２２、計時部２３、第二の報知部２４、ハンドセット２５を備えて構成されている。
【００１７】
まず、ナースコール子機１の各構成要素について説明する。制御部２は、ナースコール子機１の各構成要素を後述するように制御するためのものであり、ＣＰＵ（Central Processing Unit）などにより構成されている。センサ部３は、患者が医療従事者を呼び出す際に使用するものであり、接触センサ３Ａや圧力センサ３Ｂなどにより構成されている。本実施形態では、センサ部３は、接触センサ３Ａと圧力センサ３Ｂとを両方備えている。接触センサ３Ａは、患者の顔の近傍や患者の手の近傍にセッティングされ、人体の接触（特許請求の範囲の所定の行動に該当する）を検出して検出信号を出力する。圧力センサ３Ｂは、患者の口元の近傍にセッティングされ、息や音を検出して検出信号を出力する。患者は、医療従事者を呼び出したい場合に、接触センサ３Ａに触れたり圧力センサに息を吹きかけたりする。すると、制御部２は、呼出信号を生成する。ここで、呼出信号には、このナースコール子機１を他のナースコール子機１と区別するための子機識別情報が含まれる。また、子機識別情報としては、ベッド番号などの情報が用いられる。
【００１８】
このように、患者がセンサ部３を操作するためには、センサ部３を患者が利用可能な適切な位置にセッティングする必要がある。そのため、図２に示すようにナースコール子機１の筐体８とセンサ部３との間をフレキシブルアーム７で接続し、医療従事者などがフレキシブルアーム７を調整することで、患者の所定の部位にセンサ部３を近接して配置させることができる。
【００１９】
方向センサ４は、例えば加速度センサなどにより構成されており、センサ部３の向きが変わったことを検出して加速度検出信号を出力する。また、方向センサ４は、センサ部３筐体内などに設置されており、センサ部３に何らかの外力が働いてセンサ部３の位置がずれると、センサ部３の向きが変わったことを検出して加速度検出信号を制御部２に出力する。制御部２は、方向センサ４から加速度検出信号を入力すると、子機識別情報を付加して方向変更検出信号を生成する。
【００２０】
子機インターフェース５は、ナースコール子機１とナースコール親機２０とを接続して通信を行うためのものである。ここで、子機インターフェース５は、制御部２により生成された呼出信号や方向変更検出信号をナースコール親機２０に出力する。また、ナースコール子機１とナースコール親機２０との間で通話路が形成されている場合に、子機インターフェース５は、音声信号をナースコール親機２０へ送信し、ナースコール親機２０から音声信号を受信する。また、ナースコール子機１とナースコール親機２０との間の通信は、有線や無線によって行われる。
【００２１】
第一の報知部６は、スピーカ１１などにより構成されており、センサ部３の向きが変わったこと、および、センサ部３を操作するように働きかけることを周囲（例えば、患者の病床の周囲など）に報知する。フレキシブルアーム７は、一端を筐体８に接続し、他端をセンサ部３に接続している。また、フレキシブルアーム７は、屈曲自在または湾曲自在に形成されており、屈曲または湾曲した状態で固定させることができる。これにより、フレキシブルアーム７は、センサ部３（およびセンサ部３の近傍に設置されている方向センサ４）を筐体８上の所望の位置に保持することができる。筐体８は、内部に回路などを収容しており、患者の所定の部位（例えば、頭や手など）の近くの置台などに据えられる。ここで、センサ部３（および方向センサ４）と筐体８内の回路とを結ぶ信号線（図示せず）は、フレキシブルアーム７内の空間を通っている。
【００２２】
例えば、医療従事者などがセンサ部３を患者の利用可能な適切な位置にセッティングするためにフレキシブルアーム７を調整したり、医療従事者などがセンサ部３やフレキシブルアーム７、筐体８などに接触してしまったりすると、方向センサ４は、センサ部３の向きが変わったことを検出して加速度検出信号を出力する。そして、制御部２は、方向変更検出信号を生成するとともに、第一の報知部６を動作させて、センサ部３の向きが変わったこと、および、センサ部３を操作するように働きかけることを周囲に報知させる。具体的には、「センサの向きが変わりました、呼び出しを行ってください」といった音声をスピーカ１１から出力する。
【００２３】
ここで、医療従事者が報知に気付いた場合には、医療従事者は、センサ部３の向きを適切な位置に戻してから、センサ部３を用いて呼び出しを行うと考えられる。具体的には、医療従事者は、接触センサ３Ａに触れたり、圧力センサ３Ｂに息を吹きかけたりする。一方、医療従事者が報知に気付かなかった場合でも、患者が報知に気付いたときには、患者がセンサ部を用いて呼び出しを行おうとすると考えられる。このとき、センサ部３の位置のずれが小さければ、患者はセンサ部３を用いて呼び出しを行うことができるが、センサ部３のずれが大きければ、患者はセンサ部３を用いて呼び出しを行うことができない。このように、第一の報知部６が報知を行っている状態で、センサ部３を用いた呼び出しが行われると、制御部２は、呼出信号を生成し、第一の報知部６の動作を停止する。子機インターフェース５は、制御部２によって生成された呼出信号をナースコール親機２０へ出力する。
【００２４】
コード９は、筐体８内の回路とウォールユニット１０とを接続するためのものである。ウォールユニット１０は、病室内の病床の近傍の壁面に設置されており、コード９の先端に取り付けられたプラグＰを接続するためのコンセントＣを備えている。また、ウォールユニット１０は、第一の報知部６を構成するスピーカ１１を備えている。また、ウォールユニット１０はマイク１２を備えている。ここで、ナースコール子機１とナースコール親機２０との間で通話路が形成されている場合には、ナースコール親機２０からの音声をスピーカ１１から出力し、周囲の音声をマイク１２により入力する。
【００２５】
また、ナースコール子機１とナースコール親機２０との間には、ナースコール子機１からの呼び出しを表示したり、病室内の患者の氏名などを表示したりする廊下灯（図示せず）が接続されている。また、ナースコール子機１とナースコール親機２０との間には、ナースコール子機１およびナースコール親機２０間の通話やデータの送受信に関する制御を行う制御機（図示せず）が接続されている。
【００２６】
次に、ナースコール親機２０の各構成要素について説明する。親機制御部２１は、ナースコール親機２０の各構成要素を後述するように制御するためのものであり、ＣＰＵなどにより構成されている。親機インターフェース２２は、ナースコール親機２０とナースコール子機１とを接続して通信を行うためのものである。ここで、親機インターフェース２２は、ナースコール子機１から出力された呼出信号や方向変更検出信号を入力する。また、ナースコール子機１とナースコール親機２０との間で通話路が形成されている場合に、親機インターフェース２２は、ナースコール子機１へ音声信号を送信し、ナースコール子機１から音声信号を受信する。
【００２７】
計時部２３は、時間を計測するためのものである。親機インターフェース２２が方向変更検出信号を入力すると親機制御部２１は、計時部２３を動作させて時間の計測を開始させる。第二の報知部２４は、スピーカ２４Ａや表示ディスプレイ２４Ｂ、ランプＬなどにより構成されており、患者からの呼び出しを報知するとともに、センサ部３の向きが変わったことを報知する。
【００２８】
親機インターフェース２２が呼出信号を入力すると、親機制御部２１は、呼出信号に含まれる子機識別情報を抽出して呼び出しを行った患者（実際にはナースコール子機１）を特定する。そして、親機制御部２１は、第二の報知部２４を動作させ、スピーカ２４Ａから報知音を出力したり、表示ディスプレイ２４Ｂに呼び出しが行われたことを、呼び出しを行った患者の名前や子機識別情報とともに表示したり、子機識別情報に対応するランプＬを点滅／点灯させたりする。ここで、ランプＬの上部にはベッド番号が表示されており、ランプＬの右側には患者の名前を表示したネームプレートＮが設置されているため、医療従事者は呼び出しを行った患者を特定することができる。
【００２９】
一方、親機インターフェース２２が方向変更検出信号を入力すると、親機制御部２１は、計時部２３を動作させて時間の計測を開始させる。また、親機制御部２１は、方向変更検出信号に含まれる子機識別情報を抽出してナースコール子機１を特定し、そのナースコール子機１について監視モードに移行する。監視モードに入ると、親機制御部２１は、親機インターフェース２２が対象となるナースコール子機１から呼出信号を入力するか否かを所定の時間（例えば、１分間など）に渡って監視する。所定の時間が経過するまでに親機インターフェース２２が対象となるナースコール子機１から呼出信号を入力した場合には、親機制御部２１は、監視モードを解除する。一方、所定の時間が経過しても親機インターフェース２２が対象となるナースコール子機１から呼出信号を入力しなかった場合には、親機制御部２１は、第二の報知部２４を動作させ、スピーカ２４Ａから報知音を出力したり、表示ディスプレイ２４Ｂにセンサ部３の向きが変わったことを、呼び出しを行った患者の名前や子機識別情報とともに表示したり、子機識別情報に対応するランプＬを点滅／点灯させたりする。この状態で、親機インターフェース２２が対象となるナースコール子機１から呼出信号を入力した場合には、親機制御部２１は、第二の報知部２４の動作を停止する。
【００３０】
ここで、呼び出しを報知する場合とセンサ部３の向きが変わったことを報知する場合とで、報知部２４の動作パターンを異ならせることで両者を区別することができる。具体的には、スピーカ２４Ａから出力される音声のパターンを異ならせたり、表示ディスプレイ２４Ｂの表示パターンを異ならせたり、ランプＬの点滅／点灯パターンを異ならせたりすることで、報知部２４の動作パターンを異ならせる。
【００３１】
ハンドセット２５は、呼び出しに対して応答する際に使用される。呼び出しが行われている状態（第二の報知部２４が動作している状態）で、ハンドセット２５がオフフックされると、親機制御部２１は、ナースコール親機２０とナースコール子機１との間で通話路を形成し、第二の報知部２４の動作を停止する。また、ハンドセット２５は、スピーカ（図示せず）とマイク（図示せず）とを備えている。ナースコール親機２０とナースコール子機１との間で通話路が形成されている場合には、ナースコール子機１からの音声をスピーカから出力し、周囲の音声をマイクにより入力する。ここで、通話が終了してハンドセット２５がオンフックされると、ナースコール子機１は呼び出しを行う前の状態に戻る。
【００３２】
次に、本実施形態によるナースコールシステムの動作を説明する。図３は、本実施形態によるナースコールシステムの動作を示すフローチャートである。まず、ナースコール子機１では、方向センサ４がセンサ部３の向きが変わったことを検出したか否かを制御部２にて調べる（ステップＳ１）。方向センサ４がセンサ部３の向きが変わったことを検出していないと制御部２にて判断した場合には（ステップＳ１にてＮＯ）、ステップＳ１の処理を繰り返す。
【００３３】
一方、方向センサ４がセンサ部３の向きが変わったことを検出したと制御部２にて判断した場合には（ステップＳ１にてＹＥＳ）、制御部２は方向変更検出信号を生成し、子機インターフェース５は制御部２にて生成された方向変更検出信号を出力するとともに、制御部２は、第一の報知部６を動作させて、センサ部３の向きが変わったこと、および、センサ部３の操作を働きかけることを報知する（ステップＳ２）。そして、センサ部３が所定の動作を検出したか否かを制御部２にて調べる（ステップＳ３）。
【００３４】
センサ部３が所定の動作を検出していない場合には（ステップＳ３にてＮＯ）、ステップＳ３の処理を繰り返す。一方、ナースコール子機１の周囲に居る医療従事者などがセンサ部３の向きを元に戻してセンサ部３に所定の動作を検出させたり、患者がセンサ部３に所定の動作を検出させたりして、センサ部３が所定の動作を検出した場合には（ステップＳ３にてＹＥＳ）、制御部２は呼出信号を生成し、子機インターフェース５は制御部２にて生成された呼出信号を出力するとともに、制御部２は、第一の報知部の動作を停止する。
【００３５】
また、ナースコール親機２０では、親機インターフェース２２が方向変更検出信号を入力したか否かを親機制御部２１にて調べる（ステップＳ５）。親機インターフェース２２が方向変更検出信号を入力していないと親機制御部２１にて判断した場合には（ステップＳ５にてＮＯ）、ステップＳ５の処理を繰り返す。一方、親機インターフェース２２が方向変更検出信号を入力したと親機制御部２１にて判断した場合には（ステップＳ５にてＹＥＳ）、親機制御部２１は計時部２３を動作させる（ステップＳ６）。
【００３６】
そして、親機インターフェース２２が呼出信号を入力したか否かを親機制御部２１にて調べる（ステップＳ７）。親機インターフェース２２が呼出信号を入力したと親機制御部２１にて判断した場合には（ステップＳ７にてＹＥＳ）、ステップＳ１１へ移行する。一方、親機インターフェース２２が呼出信号を入力していないと親機制御部２１にて判断した場合には（ステップＳ７にてＮＯ）、親機制御部２１は、所定の時間が経過したか否か、換言すると、計時部２３が計測した時間が所定の時間となったか否かを調べる（ステップＳ８）。
【００３７】
所定の時間が経過していないと親機制御部２１にて判断した場合には（ステップＳ８にてＮＯ）、ステップＳ７の処理に戻る。一方、所定の時間が経過したと親機制御部２１にて判断した場合には（ステップＳ８にてＹＥＳ）、親機制御部２１は、第二の報知部２４を動作させて、センサ部３の向きが変わったことを報知する（ステップＳ９）。そして、親機インターフェース２２が呼出信号を入力したか否かを親機制御部２１にて調べる（ステップＳ１０）。親機インターフェース２２が呼出信号を入力していないと親機制御部２１にて判断した場合には（ステップＳ１０にてＮＯ）、ステップＳ１０の処理を繰り返す。一方、親機インターフェース２２が呼出信号を入力したと親機制御部２１にて判断した場合には（ステップＳ１０にてＹＥＳ）、ステップＳ１１の処理に移行する。ステップＳ１１では、制御部２１は計時部２３の動作を停止して、第二の報知部２４が動作していれば、その動作を停止して、処理を終了する。
【００３８】
以上詳しく説明したように、本実施形態によれば、所定の行動を検出することで呼び出しを行うセンサ部３をフレキシブルアーム７に接続し、フレキシブルアーム７を調整することで患者の所定の部位にセンサ部３を近接して配置している。そして、センサ部３の向きが変わったことを方向センサ４が検出した場合に、センサ部３の向きが変わったこと、および、センサ部３に所定の行動を検出させるように働きかけることを第一の報知部６によって周囲に報知し、その報知から所定の時間が経過しても、親機インターフェース２２が呼出信号を入力しなかった場合には、ナースコール親機２０の第二の報知部２４にて報知を行うようにしている。
【００３９】
これにより、センサ部３の向きが変わると、センサ部３の向きが変わったこと、および、センサ部３に所定の行動を検出させるように働きかけることがナースコール子機１の周囲に報知されるので、ナースコール子機１の周囲に医療従事者などが居れば、その医療従事者などにセンサ部３の向きを元に戻さなければいけないことを通知することができる。そして、通知された医療従事者がセンサ部３の向きを元に戻して、センサ部３に所定の行動を検出させることができれば、ナースコール親機２０では報知が行われないので、他の医療従事者を煩わせることが無くなる。
【００４０】
また、センサ部３の向きが変わったこと、および、センサ部３に所定の行動を検出させるように働きかけることがナースコール子機１の周囲に報知されても、依然としてセンサ部３が患者の所定の部位に近接していれば、患者は所定の動作をセンサ部３に検出させることができる。そのため、患者が所定の動作をセンサ部３に検出させることができれば、ナースコール親機２０では報知が行われないので、医療従事者を煩わせることが無くなる。
【００４１】
また、センサ部３の向きが変わったこと、および、センサ部３に所定の行動を検出させるように働きかけることが報知されてから所定の時間が経過しても、センサ部３が所定の行動を検出しなかった場合には、ナースコール親機２０にて報知が行われる。これにより、報知を把握した医療従事者は、現場に駆けつけてセンサ部３の向きを元に戻すことができる。従って、センサ部３の向きが変わっても、センサ部３が患者の利用可能な位置からずれてしまった場合にのみナースコール親機２０での報知が行われるので、医療従事者などに適切に通知することができるようになる。
【００４２】
なお、前述した実施形態では、計時部２３をナースコール親機２０に設けているが、これに限定されない。例えば、計時部２３をナースコール子機１に設けるようにしても良い。この場合、ナースコール子機１に設けた計時部が計測した時間が所定時間となっても、制御部２にて呼出信号が生成されなかった場合に、制御部２は方向変更検出信号を生成し、子機インターフェース５が方向変更検出信号をナースコール親機２０に出力する。そして、方向変更検出信号を入力したナースコール親機２０では、親機制御部２１が直ちに第二の報知部２４を動作させることになる。これにより、余計な信号のやり取りをできるだけ減らすことができる。
【００４３】
また、前述した実施形態では、ナースコール親機２０をボード形としているが、これに限定されない。例えば、卓上型のナースコール親機であっても良いし、ＰＣ形のナースコール親機であっても良いし、各医療従事者が携行する携帯端末を利用した携帯形であっても良い。
【００４４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４５】
１    ナースコール子機
２    制御部
３    センサ部
４    方向センサ
５    子機インターフェース
６    第一の報知部
７    フレキシブルアーム
２０    ナースコール親機
２１    親機制御部
２２    親機インターフェース
２３    計時部
２４    第二の報知部
【図１】
2011005172.tif 000003
【図２】
2011005172.tif 000004
【図３】
2011005172.tif 000005